(57)【要約】  【課題】机の天板の前後縁及び側縁を使用縁として利用できるようにした天板において、座先レイアウトの変更に伴ってどの使用縁からも配線作業が行いやすいように配線カバーの配置態様を適宜変更することが可能な天板を提供する。  【解決手段】天板本体Ｔ０に対する配線カバー２の水平方向の装着角度を変更することによって、配線カバー２を、天板本体Ｔ０の前縁Ｔ１ａ又は後縁Ｔ１ａに向けて配線挿通路Ｓを開放し得る第１の装着態様Ｐと、天板本体Ｔ０の側縁Ｔ１ｃ（６ａ）に向けて配線挿通路Ｓを開放し得る第２の装着態様Ｑとの何れかを選択して天板本体Ｔ０に装着し得るように天板Ｔを構成した。【選択図】図１０
2005102928.tif 000002
【特許請求の範囲】
【請求項１】
天板本体と、該天板本体の下方に形成される配線空間と連通させて形成した配線挿通路を部分的に塞ぐように該天板本体に着脱可能に装着される配線カバーとを具備し、前縁又は後縁のいずれか一方又は両方と側縁とを使用縁として利用し得る机の天板であって、
前記配線カバーを天板本体に対する水平方向の装着角度を変更することで、前記天板本体の前縁又は後縁に向けて前記配線挿通路を開放し得る第１の装着態様と、前記天板本体の側縁に向けて前記配線挿通路を開放し得る第２の装着態様との何れかを選択して前記天板本体に装着し得ることを特徴とする天板。
【請求項２】
前記第１の装着態様及び第２の装着態様のいずれにおいても、前記配線カバーが、その上面を前記天板本体の上面と略面一とする倒伏姿勢と、その開放端側を天板本体の上面よりも上方に突出させて前記配線挿通路を開放する起立姿勢とのいずれかを前記天板本体に対する回動動作を伴って選択的に取り得るように前記天板本体に装着される請求項１記載の天板。
【請求項３】
前記倒伏姿勢にある配線カバーの回動動作を操作可能であり、且つ前記配線挿通路内を通過する配線コードを挿通可能な操作部を、前記配線カバーの前縁を部分的に切り欠いて形成している請求項２記載の天板。
【請求項４】
前記天板本体に配線挿通路の下縁から内側へ該配線挿通路を塞ぐことなく突出して配線カバーの脱落を防止する脱落防止片を有するカバー受け部を設け、前記第１の装着態様及び第２の装着態様にある配線カバーを前記倒伏姿勢において前記脱落防止片に載置している請求項２又は３記載の天板。
【請求項５】
前記カバー受け部に、前記第１の装着態様及び第２の装着態様にある配線カバーの前記倒伏姿勢と起立姿勢との間における回動動作の支点となる回動支持片を設け、該回動支持片を前記配線挿通路の周壁に添接させている請求項４記載の天板。
【請求項６】
前記第１の装着態様及び第２の装着態様にある配線カバーを前記起立姿勢において前記回動支持片に載置している請求項５記載の天板。
【請求項７】
前記天板本体が、反使用縁同士を対向させて配置してなる一対の天板要素によって構成され、且つ何れか一方の天板要素の使用縁を天板本体の前記前縁とするとともに他方の天板要素の使用縁を天板本体の前記後縁とするものであって、前記一対の天板要素の外側端部に跨って着脱可能に配置されそれら天板要素の側縁により構成される天板本体の側縁に前縁を対応させることで当該前縁を使用縁として利用可能とする前記天板本体とは別体の補助天板を具備し、前記一対の天板要素の反使用縁側において補助天板の前記使用縁の対向位置にある反使用縁に沿う位置に前記配線挿通路を形成している請求項１、２、３、４、５又は６記載の天板。
【請求項８】
前記一対の天板要素を、それらの反使用縁同士の間に所定幅の間隙を空けて配置し、前記配線挿通路を、該間隙と、この間隙に連通するように前記一対の天板要素の反使用縁側及び前記補助天板にそれぞれ形成した各切欠部とによって構成している請求項７記載の天板。
【請求項９】
前記配線カバーを、前記第１の装着態様においては前記天板要素の切欠部に収容し、前記第２の装着態様においては前記補助天板の切欠部に収容している請求項８記載の天板。
【請求項１０】
前記各切欠部がいずれも略同一形状をなすものであって、前記配線カバーが、前記各切欠部の内法幅寸法及び内法奥行き寸法に対応する幅寸法及び奥行き寸法を有するものである請求項９記載の天板。
【請求項１１】
前記配線カバーが、前記配線挿通路の半分以下の大きさであり、且つ当該配線挿通路に沿った前縁を有している請求項１、２、３、４、５、６、７、８、９又は１０記載の天板。
【発明の詳細な説明】
【技術分野】
【０００１】
本発明は、オフィス等における様々な使用形態が可能な机の天板において、その使用形態に即応して容易な配線作業を実現する天板に関するものである。
【背景技術】
【０００２】
複数のデスクを対向島型配置させたデスク群をオフィスのフロア上に配置して一般ワーカー用の執務席を形成するとともに、そのデスク群の側端に別のデスクの反使用端を当接させてマネージャー用の執務席を形成するオフィスレイアウトが採用されることがあるが、このようなオフィスレイアウトにおいて多数のデスクを使用する弊害を排除するべく、近年では大型のテーブルタイプの机を一つの島として見立てて使用されるようになってきている。このような机は、複数のワーカーの執務用、ミーティング用、プロジェクト用等の用途に応じて使用者の座席レイアウトを容易に変更できるように構成されているが、例えば当該机における天板の前縁側や後縁側を一般ワーカー用の執務席とするとともに、天板の側縁側をマネージャー用の執務席として使用することもできる。また、天板上ではコンピュータワークが行われることが多いため、通信コードや電源コード等の配線類を天板の上下に引き渡すために、天板にはその下方の配線空間に連通する配線挿通路が形成されることもある（例えば、特許文献１参照）。さらに、斯かる配線挿通路を天板上に開放させたままにしておくと、ペン等の小物類が配線挿通路から天板下に転落することが想定されるため、天板に配線挿通路を選択的に開閉できる配線カバーを付帯させて、配線作業を行う場合にのみ配線カバーを開けて配線挿通路を開放するようにしたものも考えられている（例えば、特許文献２参照）。このような配線カバーは、天板の幅方向に沿って配線挿通路内に架け渡した回転軸に枢着させてあり、その天板の前縁や後縁で作業するワーカーが配線カバーの開閉操作を行いやすいように構成しているのが一般的である。
【特許文献１】特願２００３−３０８０８０明細書
【特許文献２】特開２００３−２３５６４９公報
【発明の開示】
【発明が解決しようとする課題】
【０００３】
ところが、このように天板に既設の回転軸に配線カバー取り付けていると、前縁側や後縁側から天板を使用するワーカーにとっては配線カバーの開閉操作が容易であるものの、天板の側縁も使用縁としてマネージャー席を形成した場合、このマネージャーからは配線カバーの操作部位が遠くに位置すること、配線カバーの開閉方向が一般ワーカーの場合とマネージャーの場合とで異なること、配線カバーを開いた状態としてもマネージャーには配線挿通路の大開口を得られないことなど、座席レイアウト変更に対応して使い勝手が良いように配線カバーの配置態様を変更することができないという諸々の不具合が生じる。また、回転軸は配線挿通路内において天板に固定されているため、回転軸の存在自体が配線作業の障害になることも不具合としてあげられる。
【０００４】
そこで本発明は、以上のような問題に鑑みて、机の天板の前後縁及び側縁を使用縁として利用できるようにした天板において、座先レイアウトの変更に伴ってどの使用縁からも配線作業が行いやすいように配線カバーの配置態様を適宜変更することが可能な天板を提供することを主たる目的とするものである。
【課題を解決するための手段】
【０００５】
すなわち、本発明に係る天板は、天板本体と、この天板本体の下方に形成される配線空間と連通させて形成した配線挿通路を部分的に塞ぐように天板本体に着脱可能に装着される配線カバーとを具備し、前縁又は後縁のいずれか一方又は両方と側縁とを使用縁として利用し得る机の天板である。換言すると、本発明における天板は、前後縁に対峙してワーカーが向かい合わせで執務を行うレイアウトや、前後縁の何れか一方側にのみワーカーの座席を形成するレイアウトや、側縁にのみ座席を形成するレイアウトや、前後縁の両方又は一方と側縁に座席を形成するレイアウトなど、利用態様に応じて座席レイアウトを随時変更することができるものであり、このようなレイアウト変更に対応して１つの配線挿通路に対し１つ又は複数の配線カバーを装着することが許容される。そして、斯かる配線カバーを天板本体に対する水平方向の装着角度を変更することによって、天板本体の前縁又は後縁に向けて配線挿通路を開放し得る第１の装着態様と、天板本体の側縁に向けて配線挿通路を開放し得る第２の装着態様との何れかを選択して天板本体に装着し得ることを特徴としている。
【０００６】
このような構成の天板であれば、上述のような各種の座席レイアウトにおいて、主として天板本体の前後縁の何れか一方又はその両方を使用縁として座席を形成する場合には配線カバーを第１の装着態様で天板本体に装着し、或いは天板の側縁側にマネージャー席を形成するなどの当該側縁を使用縁とする場合には配線カバーを第２の装着態様で天板本体に装着することで、各座席レイアウトにおける使用縁側の座席から執務者が配線カバーを操作して配線挿通路を開放し配線作業を容易に行うことができるようになる。また、ミーティングやプロジェクトに対応して天板の使用縁を前後縁又は側縁に適宜設定するような場合には、そのレイアウトに応じて配線カバーを第１又は第２の装着態様のうち配線カバーへの操作を通じた配線挿通路へのアクセスが容易な方を選択して天板本体に装着すればよい。すなわち本発明では、座席レイアウトの変更に伴う天板の利用状況に即応して配線挿通路を開放し得る配線カバーの配置態様を選ぶことができるので、配線作業に関して非常に使い勝手の良い天板を実現することができる。
【０００７】
以上のような天板において、配線作業を行わない場合には天板の上面を広く使用でき且つ小物類の配線空間への脱落を防止し、配線作業を行う場合にのみ配線挿通路を広く開放できるようにするには、第１の装着態様及び第２の装着態様のいずれにおいても配線カバーを、その上面を前記天板本体の上面と略面一とする倒伏姿勢と、その開放端側を天板本体の上面よりも上方に突出させて配線挿通路を開放する起立姿勢とのいずれかを天板本体に対する回動動作を伴って選択的に取り得るように天板本体に装着するように構成することが望ましい。
【０００８】
この場合、配線カバーの上面側に突出物を設けることなくその操作性を向上し、配線カバーを倒伏姿勢としても天板の上面側と配線挿通路との間を配線コードが通過し得るようにするためには、倒伏姿勢にある配線カバーの回動動作を操作可能であり、且つ前記配線挿通路内を通過する配線コードを挿通可能な操作部を配線カバーの前縁を部分的に切り欠いて形成することが好ましい。
【０００９】
また、配線カバーの天板本体への安定した装着状態を維持しつつ、その支持構造によっては配線挿通路が不当に狭められることがないようにするためには、天板本体に配線挿通路の下縁から内側へ該配線挿通路を塞ぐことなく突出して配線カバーの脱落を防止する脱落防止片を有するカバー受け部を設け、第１の装着態様及び第２の装着態様にある配線カバーを倒伏姿勢において脱落防止片に載置するように構成するとよい。
【００１０】
さらに、配線カバーを安定的に支持しつつその動作をスムーズなものとし、その配線カバーの動作のための構成によっても配線挿通路が不当に狭められることがないようにするためには、前記カバー受け部に、第１の装着態様及び第２の装着態様にある配線カバーの前記倒伏姿勢と起立姿勢との間における回動動作の支点となる回動支持片を設け、この回動支持片を前記配線挿通路の周壁に添接させることが効果的である。そして、起立姿勢においても配線カバーの脱落を有効に防止し得るようにするには、第１の装着態様及び第２の装着態様にある配線カバーを前記起立姿勢において回動支持片に載置するようにすればよい。
【００１１】
ところで、上述のように座席レイアウト変更自在な天板には、天板本体として、反使用縁同士を対向させて配置してなる一対の天板要素によって構成され、且つ何れか一方の天板要素の使用縁を天板本体の前記前縁とするとともに他方の天板要素の使用縁を天板本体の前記後縁としており、斯かる天板本体を構成する一対の天板要素の外側端部に跨って着脱可能に配置されそれら天板要素の側縁により構成される天板本体の側縁に前縁を対応させることで当該前縁を使用縁として利用可能とする前記天板本体とは別体の補助天板を備えるものがある。斯かる天板においては、前記一対の天板要素の反使用縁側において補助天板の前記使用縁の対向位置にある反使用縁に沿う位置に配線挿通路を形成することで、天板本体の前後縁側を座席とする者と、補助天板の前縁側を座席とする者のいずれに対しても、配線カバーに対する操作及び配線挿通路へのアクセスを容易なものとすることができる。
【００１２】
具体的にこのような態様の天板において、配線カバーに対する操作性及び配線挿通路並びに配線空間へのアクセス性を容易ならしめる構成としては、一対の天板要素を、それらの反使用縁同士の間に所定幅の間隙を空けて配置し、配線挿通路を、前記天板要素間の間隙と、この間隙に連通するように一対の天板要素の反使用縁側及び補助天板にそれぞれ形成した各切欠部とによって構成したものが挙げられる。
【００１３】
この場合、配線カバーを、第１の装着態様においては天板要素の切欠部に収容し、第２の装着態様においては補助天板の切欠部に収容するように構成することで、天板要素間の間隙の一体性を維持しつつ天板の外観を良好なものとすることができる。特に、配線カバーの数を最小限にしつつ各天板要素と配線カバーとの間に不要な隙間が生じないようにするためには、各切欠部をいずれも略同一形状をなすものとし、配線カバーを、前記各切欠部の内法幅寸法及び内法奥行き寸法に対応する幅寸法及び奥行き寸法を有するものとすることが好ましい。
【００１４】
また、配線挿通路内に複数の配線カバーを好適に配置でき、各配線カバーの動作が他の配線カバーの動作の妨げとならないような態様としては、配線カバーが、前記配線挿通路の半分以下の大きさであり、且つ当該配線挿通路に沿った前縁を有しているものが挙げられる。このような態様は、例えば天板の前後縁を共に使用縁とする場合に、前後縁の両側の者が個別に配線作業を行い得るようにするために配線カバーを配線挿通路対向配置する際に有効である。
【発明の効果】
【００１５】
本発明よれば、座席の一般的な島型配置やそれにマネージャー席を設ける配置やミーティング又はプロジェクト時の座席配置などの座席レイアウト変更を単一の机で行うことができる天板において、主に天板本体の前後縁の何れか一方又はその両方を使用縁として座席を形成する場合には配線カバーを第１の装着態様で天板本体に装着し、主に天板の側縁側を使用縁として座席を形成する場合には配線カバーを第２の装着態様で天板本体に装着するといった、配線カバーの天板本体に対する装着態様を随時変更することが可能である。このことにより、各座席レイアウトに対応する使用縁側の座席から執務者が配線カバーを操作して配線挿通路を開放し配線作業を容易に行うことができるようになる。したがって本発明によって、座席レイアウトの変更に伴う天板の利用状況の如何を問わず、配線挿通路を開放し得る配線カバーの配置態様を選ぶことができるという配線作業性に極めて優れた天板を提供することが可能である。
【発明を実施するための最良の形態】
【００１６】
以下、本発明の一実施形態を、図面を参照して説明する。
【００１７】
この実施形態に係る天板Ｔは、島型の人員配置用やミーティング時又はプロジェクト時等の人員配置などの用途に適宜座席位置を変更して使用できる机の一種である大型テーブルＸにおける天板Ｔである。すなわちこのテーブルＸにおいては、天板Ｔの前後縁を共に使用縁として利用することができるにとどまらず、側縁も使用縁として利用することができるものである。なお、このテーブルＸは、天板Ｔと、この天板Ｔを支持する支持脚Ｆと、天板Ｔの下方に配置されコンセントボックスやコード類を収容する配線ダクトＤとを主体としてなるものである。
【００１８】
ここで、テーブルＸにおいて天板Ｔ以外の部位について簡単に説明しておく。まず支持脚Ｆは、天板Ｔの両側縁部の前後を下方から支持するものであり、下端部にアジャスタを備えた周知のものを適用している。また、天板Ｔの略中央部に図示しない中間脚を設け、これら各脚及び図示しないフレーム等により天板Ｔを支持している。また、配線ダクトＤは、上方に開放した配線空間ＤＳを有するものであり、天板Ｔの奥行き方向中央部、すなわち後述するように前後方向に対をなす天板要素Ｔ１の反使用縁Ｔ１ｂの下方に配置されている。そして、前記配線空間ＤＳを上方から覆い得る位置に配線カバー２を配置している。なお、配線ダクトＤには、配線空間ＤＳを下方に開放する孔を部分的に形成してある（図示省略）。
【００１９】
ここで天板Ｔは、複数の天板要素Ｔ１からなる天板本体Ｔ０と、後述の配線カバー２及び補助天板６とを具備している。各天板要素Ｔ１は、平面視略矩形状をなす板材からなるもので、ワーカーの着座する長辺側に位置付けられる前縁を使用縁Ｔ１ａとし、その反対側を反使用縁Ｔ１ｂとしている。そして、天板要素Ｔ１を二枚一組として、両天板要素Ｔ１において使用縁Ｔ１ａの対向位置にある反使用縁Ｔ１ｂ同士を対向させて配置し、さらに各天板要素Ｔ１の側縁Ｔ１ｃに別の二枚一組の天板要素Ｔ１の側縁Ｔ１ｃ同士を当接または近接させて配置することで、天板本体Ｔ０全体の奥行き方向中央部に各天板要素Ｔ１の反使用縁Ｔ１ｂを集合させ、且つ奥行き方向両端部に各天板要素Ｔ１の使用縁Ｔ１ａを位置付けている。要するに、この天板本体Ｔ０は、複数の天板要素Ｔ１をマトリックス状に配置し、天板本体Ｔ０の前縁又は後縁となる各天板要素Ｔ１の使用縁Ｔ１ａを使用縁として用いるとともに、外側方に開放された天板要素Ｔ１の側縁Ｔ１ｃをも使用縁として用いることができる。なお、前後一対の天板要素Ｔ１は、それらの反使用縁Ｔ１ｂ同士の間に所定幅の間隙ＴＳを空けて配置してある。この間隙ＴＳは、配線ダクトＤの配線空間ＤＳに連通し、その幅が、ＬＡＮケーブルや配線コード等のコード類Ｃが挿通可能な幅に設定されている。
【００２０】
各天板要素Ｔ１の反使用縁Ｔ１ｂには、配線ダクトＤの配線空間ＤＳに連通する本発明の配線挿通路Ｓの一部となる切欠部ＴＫを形成している。各切欠部ＴＫは、いずれも天板要素Ｔ１の反使用縁Ｔ１ｂおける略中央部を外方へ開放するように概略長方形状切り欠いたものであり、前記間隙ＴＳにも連通するように形成されている。そして、前後一対の天板要素Ｔ１に形成した各切欠部ＴＫと、間隙ＴＳのうち前記切欠部ＴＫ間の部位（図２において想像線で示す）とによって平面視略正方形状の配線挿通路Ｓを構成している（同図参照）。さらに、この配線挿通路Ｓを部分的に塞ぐように配線カバー２を配置している。なお、配線カバー２については後で詳述する。
【００２１】
このように天板本体Ｔ０は、各天板要素Ｔ１の使用縁Ｔ１ａを使用縁として利用できるものであるが、側縁Ｔ１ｃを使用縁として利用することも可能である。しかしこの場合、その側縁Ｔ１ｃ側における使用者の正面から前方に延びる天板要素Ｔ１間の間隙ＴＳが形成されているので使用しづらいことがある。そこで本実施形態においては、図１０に示すように前後一対の天板要素Ｔ１の外側端部側に補助天板６を着脱可能に装着することで間隙ＴＳを覆い隠し、新たに面一な使用面を有する座席を形成することができるようにしている。このような態様は、島型の座席配置において、各天板要素Ｔ１の使用縁Ｔ１ａに座席を有するワーカーと直交する方向で、補助天板６の前縁を使用縁６ａとするマネージャー用の座席を形成する場合に好適なものである。
【００２２】
ここで補助天板６は、反使用縁Ｔ１ｂ同士を対向配置した一対の天板要素Ｔ１の外側端部を跨ぐように配置されるものである。詳述すると補助天板６は、天板本体Ｔ０の前後寸法に略対応した幅寸法を有する薄板状をなし、前後一対の天板要素Ｔ１の側縁Ｔ１同士により構成される天板本体Ｘ０の側縁に前縁を対応させ、且つ側縁６ｃを各対応する天板要素Ｔ１の使用縁Ｔ１ａに対応させることで、この前縁６ａを使用縁として利用可能なものである。また補助天板６の反使用縁６ｂの略中央部には、各天板要素Ｔ１の切欠部ＴＫと略同一形状の切欠部６Ｋを形成している。そしてこの補助天板６を天板Ｔの側方から内方に向けてスライド移動させて天板Ｔに取り付けた状態において、補助天板６の切欠部６Ｋが一対の天板要素Ｔ１の切欠部ＴＫに一致するようにしている。すなわち、補助天板６を天板本体Ｔ０に装着した状態では、補助天板６における切欠部６Ｋの長辺及び短辺が、それぞれ天板要素Ｔ１における切欠部ＴＫの短辺及び長辺に合致して、前後一対の天板要素Ｔ１により形成される配線挿通路Ｓと同一箇所に同一形状の配線挿通路Ｓが形成されることになる。
【００２３】
このような天板本体Ｔ０に形成される配線挿通路Ｓ、又は天板本体Ｔ０に補助天板６を装着した状態で形成される配線挿通路Ｓを部分的に塞ぐように、配線カバー２は天板本体Ｔ０に装着される。その際、配線カバー２は、図１乃至図３に示すように天板要素Ｔ１の使用縁Ｔ１ａに向けて配線挿通路Ｓを開放することができる第１の装着態様Ｐ、或いは天板要素Ｔ１の側縁Ｔ１ｃすなわち補助天板６の使用縁６ａに向けて配線挿通路Ｓを開放することができる第２の装着態様Ｑのいずれかの態様を選択して天板本体Ｔ０に着脱される。なお、配線カバー２は天板本体Ｔ０に設けられた受け構造と共に配線カバー装置１を形成している。すなわち配線カバー装置１は、図３に示すように、開閉操作可能な配線カバー２と、前記配線ダクトＤにおける配線空間ＤＳと連通する部位、すなわち、天板要素Ｔ１に形成した切欠部ＴＫに設けられ配線カバー２を着脱可能に支持するカバー受け部３とを備えたものである。
【００２４】
配線カバー２は、図４乃至図７に示すように、前記切欠部ＴＫの内法形状に略対応した概略長方形状の平面視形状を有するカバー本体４と、カバー本体４の下面に一体的に取り付けられる裏当て部材５とから構成されている。
【００２５】
カバー本体４は、図５（同図（ａ）はカバー本体の平面図、（ｂ）は同正面図、（ｃ）は同側面図）に示すように、例えば一枚の金属性素材を折り曲げ成形したものであり、天板要素Ｔ１の切欠部ＴＫ及び補助天板６の切欠部６Ｋの内法幅寸法及び内法奥行き寸法に対応する幅寸法及び奥行き寸法を有する平面視略矩形状の上板部４１と、上板部４１の後縁から垂下させた垂下片４２と、垂下片４２の下端から上板部４１と平行をなすように前方に向かって延びる前方延出片４３とからなる。さらに、上板部４１の前縁における略中央部位を部分円弧状に切り欠いて開口部５１ａを形成している。また、上板部４１と前方延出片４３との高さ方向に沿った外法寸法を各天板要素Ｔ１の厚み寸法に略対応させている。前方延出片４３は、垂下片４２の下端における両側端部近傍領域を除いた部位から前方に延出させたものであり、配線カバー２をカバー受け部３に装着した際に、前方延出片４３と後述するカバー受け部３の第１起立片３３又は第２起立片３４とが干渉しないように設定している。
【００２６】
裏当て部材５は、図６（同図（ａ）は裏当て部材の平面図、（ｂ）は同正面図、（ｃ）は同側面図）に示すように、例えば一枚の金属性素材を折り曲げ成形したものであり、カバー本体４の上板部４１における前縁部側の形状に略対応した形状をなし両側端部を後方に向かって他の領域より延出させてなる裏当て板部５１と、裏当て板部５１の前縁における両側端部近傍領域から若干前方に突出させその先端部を下方に折り曲げてなる一対の第１垂下片５２と、各第１垂下片５２の下端から裏当て板部５１と平行をなすように後方に向かって延びる後方延出片５３と、上板部５１の両側端において前端部側よりも若干外側方に突出する後端部側を下方に折り曲げて垂下させた一対の第２垂下片５４とからなる。さらに、裏当て板部５１の前縁略中央部位に、カバー本体４と同様に部分円弧状に切り欠いてなる開口部５１ａを形成している。第２垂下片５４の後縁から下縁に亘る角部を略クランク状に切り欠き、後述するカバー本体３の第１起立片３３、第２起立片３４に形成した凹部３Ｄｂに係合可能な段部５４Ｄを形成している。
【００２７】
以上の構成を有するカバー本体４及び裏当て部材５は次のようにして一体的に取り付けられる。すなわち、カバー本体４の前縁と裏当て部材５の第１垂下片５２とを一致させるとともに、カバー本体４の側縁と裏当て部材５の第２垂下片５４とをそれぞれ一致させ、平面視において、裏当て部材５がカバー本体４に被覆されるようにカバー本体４の上板部４１の下面に、裏当て部材５の裏当て板部５１を重合させる（図７参照、同図（ａ）は配線カバーの平面図、（ｂ）は同正面図、（ｃ）は同側面図を示す）。その状態において、所定の複数箇所にスポット溶接を施すことによりカバー本体４と裏当て部材５とを剛結する。この取付状態において、カバー本体４の垂下片４２と裏当て部材５の第１垂下片５２とが前後に対向位置に配置され、カバー本体４の前方延出部４３と裏当て部材５の後方延出部５３とが略同一高さ位置に位置付けられる。そして、カバー本体４及び裏当て部材５の各前縁に形成され上下に重なり合った開口部４１ａ、５１ａにより、配線カバー２の回動動作を操作可能な操作部２ａを形成している。また、カバー本体４と裏当て部材５とを剛結してなるこの配線カバー２の重心が、裏当て部材５の第２垂下片５４に形成した段部５４Ｄの近傍に設定されるようにしてある。
【００２８】
カバー受け部３は、図８（同図（ａ）はカバー受け部の平面図、（ｂ）は同正面図、（ｃ）は同側面図）に図示するように、例えば一枚の金属性素材を折り曲げ成形したものであり、後縁側に天板要素Ｔ１の切欠部ＴＫの平面視形状に略対応した形状をなすように切り欠いた切欠部３１Ｋを有する平面視略コ字形のベース部３１と、ベース部３１の切欠部３１Ｋにおけるコーナー領域に沿って内方へ水平方向に突出させてなる左右一対の突出片３２と、ベース部３１において切欠部３１Ｋの両側縁における後端部を内方へ若干突出させその先端部を上方に折り曲げて形成される一対の第１起立片３３と、ベース部３１において切欠部３１Ｋの前縁における中央部を挟んだ位置から後方に若干突出させその先端部を上方に折り曲げてなる一対の第２起立片３４とからなる。また、ベース部３１の各側端部にボルト挿通孔３１ａを複数形成している。突出片３２は、配線カバー２の脱落を防止する脱落防止片として機能するものであり、平面視略Ｌ字形をなし、ベース部３１に連続して水平方向に延出させたものである。各第１起立片３３は、第１の配置態様Ｐにある配線カバー２を回動動作させる際の支点となる回動支持片として機能するものであり、その上端部に、中央部位を窪ませて前記裏当て部材５の第２垂下片５４に設けた段部５４Ｄに係合され得る凹部３３ａを形成している。この凹部３３ａは、それぞれ部分円弧状をなして上方へ突出する第１凸部３３ｂ及び第２凸部３３ｃとの間に位置し、各凸部３３ｂ、３３ｃからベース部３１に対して略４５度の角度で斜め下方に傾斜し略９０度で相互に交差するように設けた一対の傾斜面３３ｄにより形成されている。なお、第１凸部３３ｂの上端位置を第２凸部３３ｃの上端位置より若干低く設定し、各第１起立片３３の後縁側から第２凸部３３ｃ、凹部３３ａ、第１凸部３３ｂの順に形成している。各第２起立片３４は、第２の配置態様Ｑにある配線カバー２を回動動作させる際の支点となる回動支持片として機能するものであり、第１起立片３３と略同一形状をなし、その上端部に固定係合要素たる凹部３４ａを、部分円弧状の第１凸部３４ｂと第２凸部３４ｃとの間に形成し、各第２起立片３４の内側縁側から第２凸部３４ｃ、凹部、第１凸部の順に形成してある。
【００２９】
以上の構成を有するカバー受け部３の天板要素Ｔ１への取り付けは、天板要素Ｔ１の切欠部ＴＫとカバー受け部３のベース部３１に形成した切欠部３１Ｋとを一致させるようにして、天板要素Ｔ１の下面にカバー受け部３のベース部３１を重合し、ベース部３１に形成した各ボルト挿通孔３１ａに下方からボルトＢを天板要素Ｔ１の下面にねじ込むことにより行う。この取付状態において、カバー受け部３の各第１起立片３３及び第２起立片３４が切欠部３１Ｋの周縁に添うように配置されるとともに、カバー受け部３の突出片３２が切欠部ＴＫの内側へ水平に突出した位置に配置される（図３参照）。
【００３０】
しかして、天板本体Ｔ０に設けたカバー受け部３に配線カバー２を装着することにより配線カバー装置１が構成される。すなわち、この配線カバー２は前述した第１の配置態様Ｐ及び第２の配置態様Ｑのいずれにおいてもカバー受け部３に載置し自重により支持された状態にある。そして、配線カバー２が、カバー本体４の上板部４１が天板要素Ｔ１（天板Ｔ）の上面と略面一となり切欠部ＴＫ又は切欠部６Ｋに連通する配線空間ＤＳを閉止し得る倒伏姿勢（図２及び図９（ａ）参照、なお、図９は図２におけるＡ−Ａ線断面図である）と、その開放端側を天板要素Ｔ１（天板Ｔ）の上面よりも上方に突出させて前記配線空間ＤＳを開放し得る起立姿勢（同図（ｃ））と、倒伏姿勢と起立姿勢との間の略中間の回動姿勢である中間姿勢（同図（ｂ）とのいずれかを、天板要素Ｔ１（天板１）に対する回動動作を伴って選択的に取り得るように構成されることになる。すなわち、配線カバー２を、天板Ｔに対する水平方向の装着角度を略９０°変更することで天板Ｔの前縁または後縁に向けて配線挿通路Ｓを開放し得る第１の装着態様Ｐ（図２参照）と、天板Ｔの側縁に向けて配線挿通路Ｓを開放し得る第２の装着態様Ｑ（図１１参照）との何れかを選択してカバー受け部３に装着することが可能である。なお、何れの装着態様Ｐ、Ｑにおいても、概略正方形状の配線挿通路Ｓ内に２つの配線カバー２が収容できるように設定してあり、特に第１の装着態様２Ｐにおいて対向する各切欠部ＴＫに配線カバー２をそれぞれ収容した場合には、天板Ｔの前縁側及び後縁側にそれぞれ座席を配置したレイアウトにおいて各座席のワーカーにとって使い勝手に優れたものとなる。また、図１１には、補助天板６の前縁を使用縁６ａとして利用するワーカー（例えば前記マネージャー）にとって使い勝手がよいように配線挿通路Ｓ内において補助天板６の切欠部６Ｋ内に配線カバー２を装着した状態を示しているが、この配線カバー２と対向するようにもう一つ配線カバー２を配線挿通路Ｓ内に装着することも可能である。
【００３１】
次に、配線カバー２の動作について説明するが、第１の装着態様Ｐ及び第２の装着態様Ｑのいずれにおいても配線カバー２は同様の動作を行うため、ここでは第１の装着態様Ｐを採用した配線カバーの動作について、図２、図９を参照して詳述する。
【００３２】
先ず、天板要素Ｔ１の切欠部ＴＫの上方から、配線カバー２を突出片３２に載置することにより、前記配線カバー２が前記倒伏姿勢となる（図２、図９（ａ））。この倒伏姿勢において、裏当て部材５の後方延出片５３と第２垂下片５４の下端がカバー受け部３の突出片３２に当接し、配線カバー２の下方への脱落を防止している。このようにカバー受け部３の突出片３２が脱落防止片として機能している。また、倒伏姿勢において、第２垂下片５４の段部５４Ｄがカバー受け部３の第１起立片３３に設けた第１凸部３３ｂに当接又は近接し、より安定した載置状態となる。この倒伏姿勢において、配線カバー２の前縁に形成した操作部２ａと天板要素Ｔ１の切欠部ＴＫとの隙間を利用してコード類Ｃを挿通可能に設定している。そして、倒伏姿勢にある配線カバー２を前記中間姿勢とするには、配線カバー２の操作部２ａにワーカーが指を掛けて、カバー受け部３に設けた第１起立片３３の第１凸部３３ｂを支点に配線カバー２を天板要素Ｔ１の反使用縁Ｔ１ｂ側へ回動させる。配線カバー２の回動動作に伴って、裏当て部材５の第２垂下片５４に形成した段部５４Ｄがカバー受け部３の第１起立片３３に設けた凹部３３ａに係合し、配線カバー２をカバー受け部３に対して略４５度の回動角度で一時的に静止させることにより配線カバー２が前記中間姿勢となる（同図（ｂ））。この中間姿勢において、切欠部ＴＫ及び切欠部ＴＫに連通する配線空間ＤＳを天板要素Ｔ１の使用縁Ｔ１ａ側に向けて半分開放した半開放状態となり、段部５４Ｄに重心を設定した配線カバー２は、この段部５４Ｄを凹部３３ａに係合させることによりバランスが取れた状態となる。このように、段部５４Ｄと凹部３３ａとにより、配線カバー２を倒伏姿勢と起立姿勢との間の所定の回動姿勢で一時的に静止させるようにしている。中間姿勢にある配線カバー２を前記起立姿勢とするには、カバー受け部３の第１起立片３３に形成した第２凸部３３ｃを支点として配線カバー２をさらに天板要素Ｔ１の反使用縁Ｔ１ｂ側へ回動させる。この回動動作に伴って配線カバー２の第２垂下片５４が第２凸部３３ｃに乗り移り、配線カバー２がベース部３１に対して略９０度の角度で起立した起立姿勢となる（同図（ｃ））。この起立姿勢において、配線カバー２を第２起立片３４に載置している。これにより切欠部ＴＫ及び切欠部ＴＫに連通する配線空間ＤＳが天板要素Ｔ１の使用縁Ｔ１ａ側、且つ上方に開放された状態となる。この起立姿勢への回動終端位置に位置する配線カバー２を、天板要素Ｔ１の使用縁Ｔ１ａ側へ倒れ込む操作力を付与することによって、中間姿勢又は倒伏姿勢に戻すことができる。すなわち、重心が段部５４Ｄの近傍に設定してあるので、中間姿勢においては、配線カバー２が倒伏姿勢または起立姿勢の何れの方向にも回動可能なシーソー動作を行う。その際、第１起立片３３が、配線カバー２の倒伏姿勢と中間姿勢または起立姿勢との間における回動動作の支点となる回動支持片として機能する。一方、起立姿勢にある配線カバー２は、天板要素Ｔ１（天板Ｔ）に近付ける方向に水平にスライド移動させることができ、カバー本体４の上板部４１がカバー受け部３の第１起立片３３に当接するとともに、第１起立片３３の上下端部が裏当て部材５の第２垂下片５４とカバー本体４の垂下片４２とによって挟持された状態となり、配線カバー２のそれ以上の回動動作が規制される（同図（ｄ））。また、配線カバー２は、何れの回動姿勢においてもカバー受け部３に載置した状態であり、配線カバー２を所定方向に移動させることによりカバー受け部３から取外し可能に設定してある。具体的には、前記倒伏姿勢を取る配線カバー２を上方へ移動させることによりカバー受け部３から取り外すことができ、前記起立姿勢を取る配線カバー２を天板要素Ｔ１（天板Ｔ）から離間する方向に水平にスライド移動させることによりカバー受け部３から取り外すことができる。また、前記中間姿勢を取る配線カバー２は、カバー本体４の上板部４１の上面に対する法線方向に沿って斜め上方に移動させることによりカバー受け部３から取り外すことができる。なお、図２に示すように、配線挿通路Ｓに前後に配線カバー２を収容した場合、各配線カバー２の動作及び操作方法は同じである。また、前後に対をなす天板要素Ｔ１の反使用端Ｔ１ｂ同士の間に間隙ＴＳが存在するため、それぞれの配線カバー２を同時に操作しても各配線カバー２が相互に干渉することがない。換言すれば、それぞれの配線カバー２を同時に操作しても各配線カバー２が相互に干渉しないように間隙ＴＳの前後幅を設定している。
【００３３】
一方、配線カバー２を補助天板６の使用縁６ａに向けて配線挿通路Ｓを開放し得る第２の装着態様２Ｑを選択した場合、配線カバー２は補助天板６の切欠部６Ｋ内において、一対の天板要素Ｔ１の切欠部ＴＫ間に架け渡すように収容される。このようにすることにより、補助天板６の使用縁６ａ側を座席とするワーカー（マネージャー等）に対して配線カバー２に対する操作及び配線挿通路Ｓへのアクセスを容易なものとすることができる。すなわちこの第２の装着態様Ｑにおいて配線カバー２は、各カバー受け部３に設けられ前後方向に対向配置された各第２起立片３４を支点として前記倒伏姿勢と中間姿勢または起立姿勢との間で回動動作を行う。この場合、第２起立片３４が回動支持片としての役割を担うこととなる。
【００３４】
以上に詳述したように、本実施形態に係る天板Ｔは、その前縁、後縁及び側縁を使用縁（Ｔ１ａ、６ａ）として利用できる大型のテーブルＸに設けられる天板Ｔであって、天板本体Ｔ０に形成され配線ダクトＤの配線空間ＤＳに連通する配線挿通路Ｓ内に装着される配線カバー２を備えており、この配線カバー２を、天板本体Ｔ０の前後縁を使用縁Ｔ１ａとした座席を形成する際にはその使用縁Ｔ１ａ側に向けて配線挿通路Ｓが開放されるように装着する第１の装着態様Ｐと、天板本体Ｔ０の側縁Ｔ１ｃ側を使用縁６ａとした座席を形成する際にはその使用縁６ａ側に向けて配線挿通路Ｓが開放されるように装着する第２の装着態様Ｑとを、選択的に変更できる構成を有している。そのため、天板Ｔの前後縁に座席を形成した場合と側縁に座席を形成した場合のいずれであっても、各使用縁Ｔ１ａ、６ａにおける座席から配線カバー２を操作して配線空間ＤＳと連通する配線挿通路Ｓを開閉し、配線作業を容易に行うことが可能である。この結果、通常の事務作業、ミーティング、プロジェクト等のテーブルＸの使用状況を問わずに配線作業を簡便に行うことができる。
【００３５】
また、配線カバー２は、第１の配置態様Ｐ及び第２の配置態様Ｑの両方において、配線挿通路Ｓを部分的に閉塞してその上面が天板本体Ｔ０の上面と略面一な倒伏姿勢と、配線挿通路Ｓを開放する状態である起立姿勢とを、回動動作を伴って取ることができるので、配線カバー２を倒伏姿勢とした場合には天板Ｔの上面の使用領域を広げるとともに小物の配線挿通路Ｓへの落下を防止し、起立姿勢とした場合には配線挿通路Ｓを広く開放して配線作業を楽に行うことができる。
【００３６】
さらに配線カバー２には、その前縁を一部切り欠いて形成した操作部２ａを形成しているため、天板Ｔの上方へ突出しする部位を配線カバー２から排除しつつ倒伏姿勢にある配線カバー２の操作性を向上し、またその操作部２ａを通じて配線コードを天板Ｔ上に引き出すことができる。
【００３７】
また、天板本体Ｔ０には、配線挿通路Ｓを塞がずにその配線挿通路Ｓ内に突出する脱落防止片たる突出片３２を有するカバー受け部３が設けてあるので、第１の配置態様Ｐと第２の配置態様Ｑの何れにおいても装着した配線カバー２が天板本体Ｔ０から脱落することがなく、また突出片３２の存在によっても配線挿通路Ｓにおける配線挿通機能が支障を受けることがない。さらにカバー受け部３には、配線カバー２の回動動作の支点となる回動支持片として機能する第１起立片３３及び第２起立片３４が設けてあるので、配線カバー２の回動動作を円滑に行うことが可能である。そのうえ、第１起立片３３及び第２起立片３４は、配線挿通路Ｓの周壁に添接させてあるため、これら第１起立片３３及び第２起立片３４の存在によっても、配線挿通路Ｓにおける配線挿通機能に支障を来すことがない。また、配線カバー２は起立姿勢においては前記突出片３２には支持されなくなるが、第１起立片３３及び第２起立片３４に載置状態で安定支持されるので、その姿勢でも配線カバー２の脱落が防止される。
【００３８】
特に本実施形態では、天板本体Ｔ０として、前後一対の天板要素Ｔ１をそれらの反使用縁Ｔ１ｂ同士が対向した状態で配置した態様のものを採用しており、天板本体Ｔ０の側縁を使用縁とする場合にはこれら一対の天板要素Ｔ１の側端部に補助天板６を載置して、この補助天板６の前縁を使用縁として用いる構成としている。そして、補助天板６の反使用縁６ｂに沿う天板本体Ｔ０の部位に配線挿通路Ｓを形成している。このため、補助天板６を用いない場合に配線カバー２を第１の配置態様Ｐとして配置することができるだけでなく、補助天板６を用いる場合でも同じ配線挿通路Ｓに対して配線カバー２を装着することができる。さらに、前後一対の天板要素Ｔ１は、反使用縁Ｔ１ｂ同士の間に間隙ＴＳを空けて配置されているが、この間隙ＴＳの一部と各天板要素Ｔ１の反使用縁Ｔ１ｂに形成した切欠部ＴＫ、又はそれらに加えて補助天板６の反使用縁６ｂに形成した６Ｋとを利用して配線挿通路Ｓを形成しているので、配線カバー２に対する操作性及び配線挿通路Ｓと配線空間ＤＳへのアクセス性を簡易な構成で向上することができる。そして、配線カバー２は、第１の装着態様Ｐでは天板要素Ｔ１の切欠部ＴＫに収容され、第２の装着態様Ｑでは補助天板６の切欠部６Ｋに収容されるので、天板要素Ｔ１間の間隙ＴＳの直線的な一体性が維持されることとなり、天板Ｔ全体の外観も良好に保つことができる。さらに配線カバー２は、各切欠部ＴＫ、６Ｋにちょうど収容される程度の大きさ及び形状にしてあるので、少ない配線カバー２を効率的に配置しつつ各天板要素Ｔ１及び補助天板６と配線カバー６との間に不要な隙間を生じさせないようにすることができる。そのうえ、配線カバー２の大きさは、配線挿通路Ｓの開口の広さの半分よりも小さいものとしてあることから、天板Ｔの対向位置に座席を設ける場合にその両方の座席を使用する者に個別の配線カバー２を利用可能とすることができる。
【００３９】
なお、本発明の天板は、上述の実施形態に限られるものではない。一例として上記実施形態では、二枚一組の天板要素をそれらの反使用縁同士を対面させ且つそれらの間に間隙を形成するように配置した天板本体を適用したが、斯かる間隙を形成することなく天板要素の反使用縁同士を当接させて配置した天板本体を適用してもよく、複数の天板要素を用いることなく一枚の板材によって天板本体を構成することも可能である。また、天板本体の全体形状も矩形状に限られず、前後縁及び側縁を有する形状であれば特に制限されることはない。もちろん、これら前後縁及び側縁が湾曲又は屈曲していても構わない。さらに、配線挿通路は上記実施形態では略正方形状をなす孔として示したが、それ以外の形状（例えば円形状や楕円形状、菱形など）とすることも可能であるし、孔ではなく一部が外方へ開放された切欠形状であってもよい。さらに配線カバーの形状は、配線挿通路の形状に対応させて適宜の形状とすることができる。また、天板本体における配線カバーの受け構造も上記実施形態に限られず適宜の変更が可能であり、配線カバーの動作も回動以外にポップアップ等適宜の態様を選択することができる。その他、各部の具体的構成についても上記実施形態に限られるものではなく、本発明の趣旨を逸脱しない範囲で種々変形が可能である。
【図面の簡単な説明】
【００４０】
【図１】本発明の一実施形態に係る天板を適用した机を示す斜視図。
【図２】図１における要部を拡大して示す平面図。
【図３】同要部を拡大して示す斜視図。
【図４】同実施形態における配線カバーを示す分解斜視図。
【図５】同配線カバーにおけるカバー本体を平面的に示す説明図。
【図６】同配線カバーにおける裏当て部材を平面的に示す説明図。
【図７】同配線カバーの組み立て状態を平面的に示す説明図。
【図８】同実施形態におけるカバー受け部を平面的に示す説明図。
【図９】同実施形態における配線カバーの動作説明図。
【図１０】同実施形態における天板本体に補助天板を装着した状態の机を示す斜視図。
【図１１】図１０における要部を拡大して示す平面図。
【符号の説明】
【００４１】
ＤＳ…配線空間
Ｐ…第１の配置態様
Ｑ…第２の配置態様
Ｓ…配線挿通路
Ｔ…天板
Ｔ０…天板本体
Ｔ１…天板要素
Ｔ１ａ…使用縁
Ｔ１ｂ…反使用縁
Ｔ１ｃ…側縁
ＴＫ…切欠部
ＴＳ…間隙
Ｘ…机（テーブル）
２…配線カバー
２ａ…操作部
３…カバー受け部
６…補助天板
６ａ…使用縁
６ｂ…反使用縁
６Ｋ…切欠部
３２…脱落防止片（突出片）
３３、３４…回動支持片（第１起立片、第２起立片）
【図１】
2005102928.tif 000003
【図２】
2005102928.tif 000004
【図３】
2005102928.tif 000005
【図４】
2005102928.tif 000006
【図５】
2005102928.tif 000007
【図６】
2005102928.tif 000008
【図７】
2005102928.tif 000009
【図８】
2005102928.tif 000010
【図９】
2005102928.tif 000011
【図１０】
2005102928.tif 000012
【図１１】
2005102928.tif 000013